(57)【要約】【課題】単純、且つ、小型な構成で、漏水を検出できる増圧給水装置及び漏水検知器を提供すること。【解決手段】増圧給水装置１は、ポンプ装置１４と、外郭体３３、外郭体３３内に設けられた第１逆止弁３１、外郭体３３内に設けられ、第１逆止弁３１の二次側に設けられた第２逆止弁３２、外郭体３３の第１逆止弁３１及び第２逆止弁３２の間に設けられた逃がし口３３ｂ、並びに、逃がし口３３ｂを開閉する逃がし弁３４を有する、ポンプ装置１４の一次側に設けられる減圧式逆流防止装置１２と、逃がし口３３ｂの径方向で外方に位置する、逃がし口３３ｂに設けられた第１電極４２、第１電極４２に設けられた絶縁パッキン４３、及び、絶縁パッキン４３に設けられ、径方向で外方に位置する第２電極４４を有する漏水検知器１８と、を備える。【選択図】      図１
2019085900.tif 000002
【特許請求の範囲】
【請求項１】
ポンプ装置と、
外郭体、前記外郭体内に設けられた第１逆止弁、前記外郭体内に設けられ、前記第１逆止弁の二次側に設けられた第２逆止弁、前記外郭体の前記第１逆止弁及び前記第２逆止弁の間に設けられた逃がし口、並びに、前記逃がし口を開閉する逃がし弁を有する、前記ポンプ装置の一次側に設けられる減圧式逆流防止装置と、
前記逃がし口の径方向で外方に位置する、前記逃がし口に設けられた第１電極、前記第１電極に設けられた絶縁パッキン、及び、前記絶縁パッキンに設けられ、前記径方向で外方に位置する第２電極を有する漏水検知器と、
を備える増圧給水装置。
【請求項２】
前記漏水検知器は、非導電性材料で構成された締結部材をさらに備え、
前記第１電極、前記絶縁パッキン及び前記第２電極は、前記締結部材により、前記外郭体に固定される、請求項１に記載の増圧給水装置。
【請求項３】
前記絶縁パッキンは、前記逃がし口に設けられる円環状の第１絶縁パッキン、及び、前記第１電極及び前記第２電極の間に設けられる円環状の第２絶縁パッキンを有し、
前記第１電極及び前記第２電極は、円環状に構成され、内周面が前記第１絶縁パッキン及び前記第２絶縁パッキンの内周面よりも前記径方向で外方に位置する電極板をそれぞれ有する、請求項１に記載の増圧給水装置。
【請求項４】
前記第１電極は、パルス状の直流電圧を印加する電圧印加回路に接続される第１配線と、前記第１配線の一端に設けられた圧着端子により接続された円環状の第１電極板と、を備え、
前記第２電極は、前記電圧印加回路に接続される第２配線と、前記第２配線の一端に設けられた圧着端子により接続された円環状の第２電極板と、を備える、請求項１に記載の増圧給水装置。
【請求項５】
前記漏水検知器は、
前記第１電極及び前記第２電極にパルス状の直流電圧を印加する電圧印加回路と、
前記第１電極及び前記第２電極が導通したときの前記第１電極及び前記第２電極間の抵抗値である第１閾値、及び、前記第１閾値よりも高い抵抗値である第２閾値を記憶する記憶部と、
前記逃がし弁が開き、前記逃がし口から漏水があることを外部に報知する報知手段と、
前記電圧印加回路で電圧を印加しているときの、前記第１電極及び前記第２電極間の抵抗値を測定し、測定した前記抵抗値が前記第１閾値以下であるときに、前記逃がし口が開いていると判断し、前記第２閾値以上であるときに漏水が停止したと判断する制御部と、
をさらに備える、請求項１に記載の増圧給水装置。
【請求項６】
外郭体、前記外郭体内に設けられた第１逆止弁、前記外郭体内に設けられ、前記第１逆止弁の二次側に設けられた第２逆止弁、前記外郭体の前記第１逆止弁及び前記第２逆止弁の間に設けられた逃がし口、並びに、前記逃がし口を開閉する逃がし弁を有する、ポンプ装置の一次側に設けられる減圧式逆流防止装置の前記逃がし口に設けられる漏水検知器であって、
前記逃がし口の径方向で外方に位置する、前記逃がし口に設けられた第１電極と、
前記第１電極に設けられた絶縁パッキンと、
前記絶縁パッキンに設けられ、前記径方向で外方に位置する第２電極と、
を備える漏水検知器。
【請求項７】
非導電性材料により構成された締結部材をさらに備え、
前記第１電極、前記絶縁パッキン及び前記第２電極は、前記締結部材により、前記外郭体に固定される、請求項６に記載の漏水検知器。
【請求項８】
前記絶縁パッキンは、前記逃がし口に設けられる円環状の第１絶縁パッキン、及び、前記第１電極及び前記第２電極の間に設けられる円環状の第２絶縁パッキンを有し、
前記第１電極及び前記第２電極は、円環状に構成され、内周面が前記第１絶縁パッキン及び前記第２絶縁パッキンの内周面よりも前記径方向で外方に位置する電極板をそれぞれ有する、請求項６に記載の漏水検知器。
【請求項９】
前記第１電極は、パルス状の直流電圧を印加する電圧印加回路に接続される第１配線と、前記第１配線の一端に設けられた圧着端子により接続された円環状の第１電極板と、を備え、
前記第２電極は、前記電圧印加回路に接続される第２配線と、前記第２配線の一端に設けられた圧着端子により接続された円環状の第２電極板と、を備える、請求項６に記載の漏水検知器。
【請求項１０】
前記第１電極及び前記第２電極に電圧を印加する電圧印加回路と、
前記第１電極及び前記第２電極が導通したときの前記第１電極及び前記第２電極間の抵抗値である第１閾値、及び、前記第１閾値よりも高い抵抗値である第２閾値を記憶する記憶部と、
前記逃がし弁が開き、前記逃がし口から漏水があることを外部に報知する報知手段と、
前記電圧印加回路で前記電圧を印加しているときの、前記第１電極及び前記第２電極間の抵抗値を測定し、測定した前記抵抗値が前記第１閾値以下であるときに、前記逃がし口が開いていると判断し、前記第２閾値以上であるときに漏水が停止したと判断する制御部と、
をさらに備える、請求項６に記載の漏水検知器。
【発明の詳細な説明】
【技術分野】
【０００１】
本発明は、減圧式逆流防止装置を有する増圧給水装置及び当該増圧給水装置に用いられる漏水検知器に関する。
【背景技術】
【０００２】
建造物等に用いる増圧給水装置は、当該装置の一次側に水が逆流することを防止するために、減圧式逆流防止装置を備える構成が知られている。このような減圧式逆流防止装置は、第１逆止弁と、第１逆止弁の二次側に設けられた第２逆止弁と、第１逆止弁及び第２逆止弁の間の中間室に設けられる逃がし弁と、を筒状の外郭体内に備え、所定の場合に逃がし弁が開き、中間室の水を逃がす。また、増圧給水装置は、減圧式逆流防止装置を二つ備える構成も知られている（例えば、特許文献１参照）。
【０００３】
減圧式逆流防止装置の逃がし弁が開く場合としては、第１逆止弁又は第２逆止弁の漏洩が生じている場合や、一次側が負圧となることによる逆サイフォン現象が生じる状況にある場合等が挙げられる。このため、減圧式逆流防止装置の逃がし弁が開き、中間室の水が排出される場合は、減圧式逆流防止装置又は増圧給水装置の異常時であることから、逃がし弁が開いたことを検知して警報を表示又は報知する機能を有する漏水検知器を有する増圧給水装置が求められている。
【０００４】
例えば、漏水検知器として、逃がし弁の二次側に、内面に二つの電極が設けられた配管を設ける構成が考えられる。また、特許文献１には、二つの減圧式逆流防止装置の逃がし孔に逃がし弁からの漏水を集合させて排水する集合式の排水配管を接続し、集合させた配管に二つの電極を設ける電極方式を用いる構成が開示されている。
【０００５】
しかし、電極方式の漏水検知器を用いる構成では、二つの電極間に結露が生じると、結露水により誤動作が生じる虞がある。この誤作動を防止するため、結露が生じても二つの電極が導通しない距離に２つの電極を離して配置する技術も考えられる。
【先行技術文献】
【特許文献】
【０００６】
【特許文献１】特許第４５８９２７８号公報
【発明の概要】
【発明が解決しようとする課題】
【０００７】
上述した漏水検知器は、結露による誤作動を防止するために、二つの電極を離して配置する構成では、漏水検知器が長細い形状となる。増圧給水装置は、カバーに覆われる構成であることから、長細い形状の漏水検知器を配置するスペースをカバー内に確保することが難しく、設計的な制約がある。
【０００８】
また、上述の漏水検知器は、制御盤に交流式の電極回路が必要となり、漏水を警報する警報盤を別途設ける必要があり、増圧給水装置の製造コストの増加となる、という問題もある。すなわち、漏水による電極間の導通を検出する回路は、従来より使用されている受水槽の水位を検出する回路を流用して設計されている。受水槽の水位を検出する回路は、電極が常時、水没しているため、感電を回避し、且つ、電気分解を防止するために低圧の交流回路となっていた。しかし、マイコンには直流電圧しか入力できない。このため、受水槽の水位を検出する回路は、例えば、電源の電圧を２００Ｖから１２Ｖに降圧するトランス及び交流回路を直流のＯＮ／ＯＦＦ回路に変換する回路が必要であるため、その回路構成は複雑なものになりやすかった。例えば、羽根車式流量計を設け、流量計の回転によって漏水を検知することも考えられるが、漏水を検出する為に流量計へ漏水を導入する配管が必要となることや、漏水中の異物を排除するフィルターが必要となること等、構成が複雑となる、という問題もある。
【０００９】
そこで本発明は、単純、且つ、小型な構成で、漏水を検出できる増圧給水装置及び漏水検知器を提供することを目的とする。
【課題を解決するための手段】
【００１０】
本発明の一態様として、増圧給水装置は、ポンプ装置と、外郭体、前記外郭体内に設けられた第１逆止弁、前記外郭体内に設けられ、前記第１逆止弁の二次側に設けられた第２逆止弁、前記外郭体の前記第１逆止弁及び前記第２逆止弁の間に設けられた逃がし口、並びに、前記逃がし口を開閉する逃がし弁を有する、前記ポンプ装置の一次側に設けられる減圧式逆流防止装置と、前記逃がし口の径方向で外方に位置する、前記逃がし口に設けられた第１電極、前記第１電極に設けられた絶縁パッキン、及び、前記絶縁パッキンに設けられ、前記径方向で外方に位置する第２電極を有する漏水検知器と、を備える。
【００１１】
本発明の一態様として、漏水検知器は、外郭体、前記外郭体内に設けられた第１逆止弁、前記外郭体内に設けられ、前記第１逆止弁の二次側に設けられた第２逆止弁、前記外郭体の前記第１逆止弁及び前記第２逆止弁の間に設けられた逃がし口、並びに、前記逃がし口を開閉する逃がし弁を有する、ポンプ装置の一次側に設けられる減圧式逆流防止装置の前記逃がし口に設けられる漏水検知器であって、前記逃がし口の径方向で外方に位置する、前記逃がし口に設けられた第１電極と、前記第１電極に設けられた絶縁パッキンと、前記絶縁パッキンに設けられ、前記径方向で外方に位置する第２電極と、を備える。
【発明の効果】
【００１２】
本発明によれば、単純、且つ、小型な構成で、漏水を検出できる増圧給水装置及び漏水検知器を提供することが可能となる。
【図面の簡単な説明】
【００１３】
【図１】本発明の一実施形態に係る増圧給水装置の構成を一部省略して示す正面図。
【図２】同増圧給水装置に用いられる減圧式逆流防止装置及び漏水検知器の構成を示す断面図。
【図３】同増圧給水装置に用いられる制御盤の構成を模式的に示す説明図。
【図４】本発明の他の実施形態に係る増圧給水装置に用いられる減圧式逆流防止装置及び漏水検知器の構成を示す断面図。
【発明を実施するための形態】
【００１４】
以下、本発明の一実施形態に係る漏水検知器１８を有する増圧給水装置１を、図１乃至図３を用いて説明する。  
図１は本発明の一実施形態に係る増圧給水装置１の構成を一部省略して示す正面図、図２は増圧給水装置１に用いられる減圧式逆流防止装置１２及び漏水検知器１８の構成を示す断面図、図３は増圧給水装置１に用いられる制御盤２２の構成を模式的に示す説明図である。
【００１５】
図１に示すように、増圧給水装置１は、吸込管１１と、吸込管１１の二次側に設けられた減圧式逆流防止装置１２と、減圧式逆流防止装置１２の二次側に設けられ、流路を複数に分岐する分岐管１３と、分岐管１３の二次側にそれぞれ設けられた複数のポンプ装置１４と、複数のポンプ装置１４にそれぞれ設けられた吐出管１５と、複数の吐出管１５を合流させる合流管１６と、合流管１６に設けられた蓄圧装置１７と、減圧式逆流防止装置１２に設けられた漏水検知器１８と、吸込管１１に設けられた第１圧力検出器１９と、吐出管１５にそれぞれ設けられた流量計２０と、合流管１６に設けられた第２圧力検出器２１と、制御盤２２と、を備えている。
【００１６】
また、増圧給水装置１は、ベース２４と、ベース２４に設けられた支持板２５と、支持板２５を覆うカバー２６と、を備えている。増圧給水装置１は、ベース２４上及び支持板２５の前面に上述の各構成部材が固定され、カバー２６でベース２４上、支持板２５の正面側及び各構成部材を覆うことで構成される。
【００１７】
吸込管１１は、増圧給水装置１の一次側の水道管等と接続される。
【００１８】
図２に示すように、減圧式逆流防止装置１２は、第１逆止弁３１と、第１逆止弁３１の二次側に設けられた第２逆止弁３２と、第１逆止弁３１及び第２逆止弁３２を収容するとともに、中間室３３ａを構成する外郭体３３と、中間室３３ａに配置される逃がし弁３４と、を備えている。
【００１９】
第１逆止弁３１は、外郭体３３の一次側に設けられる。第２逆止弁３２は、外郭体３３の二次側に設けられる。第１逆止弁３１及び第２逆止弁３２は、自身の二次側からの流体の逆流を防止する。
【００２０】
外郭体３３は、円筒状に構成される。外郭体３３は、導電性の材料、金属材料により構成される。外郭体３３は、中央の第１逆止弁３１及び第２逆止弁３２の間に構成される中間室３３ａと、中間室３３ａ及び外部を連続する、逃がし弁３４により開閉される逃がし口３３ｂを有する。外郭体３３は、吸込管１１及び分岐管１３に接続される。
【００２１】
逃がし弁３４は、逃がし口３３ｂを開閉する。逃がし弁３４は、常時逃がし口３３ｂを閉塞し、そして、第１逆止弁３１又は第２逆止弁３２の漏洩が生じている場合に、及び、一次側が負圧となることによる逆サイフォン現象が生じた場合等に、逃がし口３３ｂを開く。
【００２２】
分岐管１３は、外郭体３３の二次側に接続される。分岐管１３は、外郭体３３の二次側の流路を構成し、当該流路を複数、本実施形態においては二つに分岐する。
【００２３】
ポンプ装置１４は、モータ１４ａと、ポンプ１４ｂと、を備えている。モータ１４ａは、制御盤２２に電気的に接続される。ポンプ１４ｂは、モータ１４ａにより駆動される。ポンプ１４ｂは、単段又は多段のポンプである。ポンプ１４ｂは、一次側が分岐管１３に接続される。
【００２４】
吐出管１５は、ポンプ１４ｂの二次側に接続される。合流管１６は、各ポンプ１４ｂに接続された吐出管１５を合流する。合流管１６は、建造物の蛇口やシャワーヘッド等の給水先に接続される配管が接続される。蓄圧装置１７は、合流管１６に設けられたアキュムレータである。
【００２５】
漏水検知器１８は、第１絶縁パッキン４１と、第１電極４２と、第２絶縁パッキン４３と、第２電極４４と、締結部材４５と、を備えている。漏水検知器１８は、逃がし口３３ｂの端面から、第１絶縁パッキン４１、第１電極４２、第２絶縁パッキン４３及び第２電極４４が順次積層され、締結部材４５で一体に逃がし口３３ｂの端面に固定される。漏水検知器１８は、第１電極４２及び第２電極４４が制御盤２２と電気的に接続される。また、漏水検知器１８は、制御盤２２に設けられる後述する電極電圧印加回路５２、記憶部５３及び制御部５４を含む。
【００２６】
第１絶縁パッキン４１は、絶縁材料からなり、円環状に構成される。第１絶縁パッキン４１は、一方の主面が逃がし口３３ｂの端面に当接する。第１絶縁パッキン４１の内径は、逃がし口３３ｂの内径と同一径に構成される。第１絶縁パッキン４１は、弾性変形可能な樹脂材料、例えばゴム材料により構成される。
【００２７】
第１電極４２は、第１電極板４２ａと、第１電極板４２ａに接続された第１配線４２ｂと、を備えている。第１電極板４２ａは、円環状に構成される。第１電極板４２ａの内径は、第１絶縁パッキン４１の内径よりも大径に構成される。第１電極板４２ａの外径は、第１絶縁パッキン４１の外径と同一径又は大径に構成される。また、第１電極板４２ａは、径方向に突出し、第１配線４２ｂを取り付ける突起状の座部４２ｃを、外周面の一部に有する。第１電極板４２ａの一方の主面は、第１絶縁パッキン４１の主面と当接する。
【００２８】
第１配線４２ｂは、一端が螺子等の締結部材４２ｄにより、第１電極板４２ａの座部４２ｃに固定され、他端が制御盤２２に接続される。第１配線４２ｂは、例えば、一端に丸型又はＹ型の圧着端子が設けられる。
【００２９】
第２絶縁パッキン４３は、絶縁材料からなり、円環状に構成される。第２絶縁パッキン４３は、一方の主面が第１電極４２の他方の主面に当接する。第２絶縁パッキンの内径は、第１絶縁パッキン４１の内径と同一径に構成され、第１電極板４２ａの内径よりも小径に構成される。第２絶縁パッキン４３は、弾性変形可能な樹脂材料、例えばゴム材料により構成される。
【００３０】
第２電極４４は、第２電極板４４ａと、第２電極板４４ａに接続された第２配線４４ｂと、を備えている。第２電極板４４ａは、円環状に構成される。第２電極板４４ａの内径は、第１絶縁パッキン４１の内径及び第２絶縁パッキン４３の内径よりも大径に構成される。第２電極板４４ａの内径は、第１電極板４２ａの内径と同一径に構成される。
【００３１】
第２電極板４４ａの外径は、第２絶縁パッキン４３の外径と同一径又は大径に構成される。また、第２電極板４４ａは、径方向に突出し、第２配線４４ｂを取り付ける突起状の座部４４ｃを、外周面の一部に有する。第２電極板４４ａの一方の主面は、第２絶縁パッキン４３の主面と当接する。
【００３２】
第２配線４４ｂは、一端が螺子等の締結部材４４ｄにより、第２電極板４４ａの座部４４ｃに固定され、他端が制御盤２２に接続される。第２配線４４ｂは、例えば、一端に丸型又はＹ型の圧着端子が設けられる。
【００３３】
締結部材４５は、非導電性の材料、例えば樹脂材料により構成される。締結部材４５は、第１絶縁パッキン４１、第１電極板４２ａ、第２絶縁パッキン４３及び第２電極板４４ａに挿通され、外郭体３３の逃がし口３３ｂに締結され、第１絶縁パッキン４１、第１電極板４２ａ、第２絶縁パッキン４３及び第２電極板４４ａを逃がし口３３ｂに固定する。
【００３４】
第１圧力検出器１９は、減圧式逆流防止装置１２の一次側の圧力を検出する。第１圧力検出器１９は、信号線等を介して制御盤２２に電気的に接続され、検出した圧力を信号に変換し、制御盤２２に送信する。
【００３５】
流量計２０は、例えば羽根車式の流量計である。流量計２０は、ポンプ１４ｂの二次側の流量を検出する。流量計２０は、信号線等を介して制御盤２２に電気的に接続され、検出した流量を信号に変換し、制御盤２２に送信する。
【００３６】
第２圧力検出器２１は、合流管１６の圧力を検出する。第２圧力検出器２１は、信号線等を介して制御盤２２に電気的に接続され、検出した圧力を信号に変換し、制御盤２２に送信する。
【００３７】
図３に示すように、制御盤２２は、表示部５０と、インバータ５１と、電極電圧印加回路５２と、記憶部５３と、制御部５４と、を備えている。制御盤２２は、インバータ５１、電極電圧印加回路５２、記憶部５３及び制御部５４を構成する電装部品を収容する、支持板２５に固定されるケース５５を有する。また、制御盤２２は、音により外部に情報を報知する報知部を有していても良い。
【００３８】
表示部５０は、ポンプ装置１４の駆動状況、増圧給水装置１の異常の有無、逃がし口３３ｂからの漏水の有無等を表示可能な、ディスプレイやＬＥＤ等である。表示部５０は、信号線９９を介して制御部５４に電気的に接続される。表示部５０は、逃がし口３３ｂから漏水があることを外部に報知する報知手段である。なお、報知部を有する場合においては、当該報知部は、逃がし口から漏水があることを音により外部に報知する報知手段となる。
【００３９】
インバータ５１は、信号線９９を介してモータ１４ａ及び制御部５４に電気的に接続される。本実施形態において、インバータ５１は、モータ１４ａと同数の例えば二つが設けられる。インバータ５１は、モータ１４ａの回転数を可変させる。
【００４０】
電極電圧印加回路５２は、第１電極板４２ａ（第１配線４２ｂ）、第２電極板４４ａ（第２配線４４ｂ）及び制御部５４に電気的に接続される。電極電圧印加回路５２は、基準抵抗５２ａ、ダイオードブリッジ５２ｂ及び過電圧保護用のダイオード５２ｃ等を有する。電極電圧印加回路５２は、第１電極板４２ａ及び第２電極板４４ａの間に、制御部５４によって供給された交流電圧、例えばＡＣ１２Ｖを印加する。
【００４１】
記憶部５３は、第１電極板４２ａ及び第２電極板４４ａの間の抵抗値と比較する第１閾値及び第２閾値を記憶する。第１閾値は、抵抗値であり、例えば、３０ｋΩに設定される。第２閾値は、第１閾値よりも大きい抵抗値であり、例えば、７０ｋΩに設定される。
【００４２】
制御部５４は、第１圧力検出器１９、流量計２０及び第２圧力検出器２１で検出された圧力及び流量に基づいてインバータ５１を制御し、吐出圧力一定又は推定末端圧力一定となるように、ポンプ装置１４を制御する。
【００４３】
制御部５４は、電極電圧印加回路５２に交流電圧を供給するとともに、第１電極板４２ａ及び第２電極板４４ａの間の抵抗を検出する。制御部５４は、検出した第１電極板４２ａ及び第２電極板４４ａの間の抵抗値と第１閾値を比較する。制御部５４は、当該抵抗値が第１閾値（３０ｋΩ）以下である場合、換言すると、制御部５４のＡＤ入力電圧が２．２Ｖ以下となった場合に、水によって第１電極板４２ａ及び第２電極板４４ａの間が通電している、換言すると、逃がし弁３４が開き、漏水が生じていると判断する。制御部５４は、漏水が生じていると判断すると、異常が発生している情報を表示部５０に送信し、表示部５０に当該異常を表示させる。なお、報知部を有する場合には、表示部５０に加え、制御部５４は、音によって異常を警報する。
【００４４】
また、制御部５４は、漏水が生じていると判断した後も継続して電極電圧印加回路５２に交流電圧を供給するとともに、第１電極板４２ａ及び第２電極板４４ａの間の抵抗を検出する。制御部５４は、検出した第１電極板４２ａ及び第２電極板４４ａの間の抵抗値と第２閾値を比較する。制御部５４は、当該抵抗値が第２閾値（７０ｋΩ）以上である場合、換言すると、制御部５４のＡＤ入力電圧が４．４Ｖ以上となった場合に、漏水が停止した、即ち正常であると判断する。制御部５４は、正常復帰として、表示部５０に正常である情報を送信し、表示部５０の異常の表示を解除する。
【００４５】
このように構成された漏水検知器１８を有する増圧給水装置１は、第１電極板４２ａの内径及び第２電極板４４ａの内径を、第１絶縁パッキン４１の内径及び第２絶縁パッキン４３の内径よりも大径に構成される。この構成により、漏水検知器１８は、結露が生じた場合であっても、結露水によって第１電極板４２ａ及び第２電極板４４ａの間に滞留して第１電極板４２ａ及び第２電極板４４ａを導通することを防止できる。
【００４６】
即ち、第１電極板４２ａ及び第２電極板４４ａの間は第２絶縁パッキン４３で遮られ、また、第１電極板４２ａ及び第２電極板４４ａの内周面が径方向で第２絶縁パッキン４３の内周面よりも外方に位置する。この構成により、例えば、結露水が第１絶縁パッキン４１、第１電極板４２ａ及び第２絶縁パッキン４３により構成される溝に生じたとしても、当該溝と第２電極板４４ａは、第２絶縁パッキン４３に遮られることになる。なお、漏水が生じ、第１電極板４２ａに付着した水についても同様である。
【００４７】
このように、漏水検知器１８は、結露が生じたときの誤作動を防止できるとともに、漏水が生じた後であって、且つ、その後漏水が停止したときに、第１電極板４２ａ及び第２電極板４４ａ間が導通することを防止できる。なお、漏水は、第１絶縁パッキン４１、第１電極板４２ａ、第２絶縁パッキン４３及び第２電極板４４ａを伝って流れることから、漏水検知器１８は、漏水検知器感度の低下が生じることがない。
【００４８】
また、漏水検知器１８の第１電極板４２ａ及び第２電極板４４ａは、第１絶縁パッキン４１及び第２絶縁パッキン４３で相互に絶縁され、樹脂材料で構成された締結部材４５で固定されることから、薄板の構成でよい。漏水検知器１８は、軸方向の長さを短くすることができることから、増圧給水装置１に設置するときに要するスペースを低減できる。換言すると、漏水検知器１８は小型とすることができ、狭い領域に設置することが可能となり、配置に関して高い自由度を有する。
【００４９】
また、第２絶縁パッキン４３を介在させて二枚の電極板４２ａ、４４ａを設けるとともに、二枚の電極板４２ａの内面（内周面）を第２絶縁パッキン４３よりも外方に配置する単純な構成でよい。このため、漏水検知器１８は、安価に製造することができる。
【００５０】
また、通常の受水槽の水位検出と異なり、漏水検出用の電極は、正常時には不導通であり、導通しても長時間導通することがない。このため、直流電圧を電極間に印加する構成としても電気分解による電極の腐食の虞がない。そこで、電極電圧印加回路５２は、電極４２、４４に直流電圧を印加する構成であってもよい。また、電極４２、４４に直流電圧を印加する場合に、例えば、１００ｍｓ毎に、５ｍｓの間パルス状の直流電圧を印加する構成としてもよい。電極４２、４４に印加する直流電圧をパルス状にすることで、結露等が生じた場合であっても、電極４２、４４の電気分解を極力防止することができる。
【００５１】
上述したように本発明の一実施形態に係る漏水検知器１８を有する増圧給水装置１によれば、安価であって、単純、且つ、小型な構成とすることが可能となる。
【００５２】
次に、本発明の他の実施形態に係る増圧給水装置１の減圧式逆流防止装置１２に用いられる漏水検知器１８Ａを、図４を用いて説明する。図４は本発明の他の実施形態に係る増圧給水装置１の減圧式逆流防止装置１２及び漏水検知器１８Ａ構成を示す一部省略して示す断面図である。なお、本実施形態の漏水検知器１８Ａにおいて、上述した一実施形態の漏水検知器１８と同様の構成には同一符号を付し、その詳細な説明は省略する。
【００５３】
漏水検知器１８Ａは、第１電極４２Ａと、絶縁パッキン４３Ａと、締結部材４５と、を備えている。漏水検知器１８Ａは、逃がし口３３ｂの端面から、絶縁パッキン４３Ａ及び第１電極４２Ａが設けられることで構成される。また、漏水検知器１８Ａは、制御盤２２の電極電圧印加回路５２、記憶部５３及び制御部５４を含む。
【００５４】
第１電極４２Ａは、第１電極板４２Ａａと、第１電極板４２Ａａに接続された第１配線４２ｂと、を備えている。第１電極板４２Ａａは、小片状に構成され、絶縁パッキン４３Ａの内周面よりも外方に配置される。例えば、第１電極板４２Ａａは、第１配線４２ｂの端部に設けられる丸型又はＹ型の圧着端子により構成される。第１電極板４２Ａａは、逃がし口３３ｂの端面の外周縁側に配置されるとともに、その先端が逃がし口３３ｂの内周縁よりも外方に配置される。
【００５５】
締結部材４５は、非導電性の材料、例えば樹脂材料により構成される。締結部材４５は、第１電極板４２Ａａ、絶縁パッキン４３Ａに挿通され、外郭体３３の逃がし口３３ｂに締結され、第１電極板４２Ａａ、絶縁パッキン４３Ａを逃がし口３３ｂに固定する。
【００５６】
このような構成の漏水検知器１８Ａは、第１電極板４２Ａａと外郭体３３が絶縁されている。また、漏水検知器１８Ａは、漏水時に外郭体３３と、絶縁パッキン４３を介して配置された第１電極板４２Ａａとが導通する。このため、漏水検知器１８Ａは、上述の漏水検知器１８と同様の効果を奏するとともに、一枚の絶縁パッキン４３と、円環状の第１電極板４２Ａａが逃がし口３３ｂに設けられる構成であることから、より単純、且つ、小型な構成とすることができる。また、第１電極板４２Ａａは、流通している端子を用いることができることから、漏水検知器１８Ａは、より安価に製造することができる。
【００５７】
また、外郭体３３の逃がし口３３ｂの外縁が電極表面となることから、その表面積を広くすることができるため、第１電極板４２Ａａの表面積を大きくすることで、感度を向上することも可能となる。
【００５８】
なお、本発明は、上記実施形態に限定されるものではなく、実施段階ではその要旨を逸脱しない範囲で種々に変形することが可能である。また、各実施形態は適宜組み合わせて実施してもよく、その場合組み合わせた効果が得られる。更に、上記実施形態には種々の発明が含まれており、開示される複数の構成要件から選択された組み合わせにより種々の発明が抽出され得る。例えば、実施形態に示される全構成要件からいくつかの構成要件が削除されても、課題が解決でき、効果が得られる場合には、この構成要件が削除された構成が発明として抽出され得る。
【符号の説明】
【００５９】
１…増圧給水装置、１１…吸込管、１２…減圧式逆流防止装置、１３…分岐管、１４…ポンプ装置、１４ａ…モータ、１４ｂ…ポンプ、１５…吐出管、１６…合流管、１７…蓄圧装置、１８…漏水検知器、１９…第１圧力検出器、２０…流量計、２１…第２圧力検出器、２２…制御盤、２４…ベース、２５…支持板、２６…カバー、３１…第１逆止弁、３２…第２逆止弁、３３…外郭体、３３ａ…中間室、３３ｂ…逃がし口、３４…逃がし弁、４１…第１絶縁パッキン（絶縁パッキン）、４２…第１電極、４２ａ…第１電極板、４２ｂ…第１配線、４２ｃ…座部、４２ｄ…締結部材、４３…第２絶縁パッキン（絶縁パッキン）、４４…第２電極、４４ａ…電極板、４４ａ…第２電極板、４４ｂ…第２配線、４４ｃ…座部、４４ｄ…締結部材、４５…締結部材、５０…表示部、５１…インバータ、５２…電極電圧印加回路、５２ａ…基準抵抗、５２ｂ…ダイオードブリッジ、５２ｃ…ダイオード、５３…記憶部、５４…制御部、５５…ケース、９９…信号線。
【図１】
2019085900.tif 000003
【図２】
2019085900.tif 000004
【図３】
2019085900.tif 000005
【図４】
2019085900.tif 000006
【手続補正書】
【提出日】平成30年11月5日(2018.11.5)
【手続補正１】
【補正対象書類名】特許請求の範囲
【補正対象項目名】全文
【補正方法】変更
【補正の内容】
【特許請求の範囲】
【請求項１】
ポンプ装置と、
外郭体、前記外郭体内に設けられた第１逆止弁、前記外郭体内に設けられ、前記第１逆止弁の二次側に設けられた第２逆止弁、前記外郭体の前記第１逆止弁及び前記第２逆止弁の間に設けられた逃がし口、並びに、前記逃がし口を開閉する逃がし弁を有する、前記ポンプ装置の一次側に設けられる減圧式逆流防止装置と、
前記逃がし口の内周面よりも径方向で外方に位置する、前記逃がし口に設けられた第１電極、前記第１電極に設けられた絶縁パッキン、及び、前記絶縁パッキンに設けられ、前記逃がし口の内周面よりも前記径方向で外方に位置する第２電極を有する漏水検知器と、
を備え、
前記絶縁パッキンは、前記逃がし口に設けられる円環状の第１絶縁パッキン、及び、前記第１電極及び前記第２電極の間に設けられる円環状の第２絶縁パッキンを有し、
前記第１電極及び前記第２電極は、円環状に構成され、内周面が前記第１絶縁パッキン及び前記第２絶縁パッキンの内周面よりも前記径方向で外方に位置する電極板をそれぞれ有する増圧給水装置。
【請求項２】
前記漏水検知器は、非導電性材料で構成された締結部材をさらに備え、
前記第１電極、前記絶縁パッキン及び前記第２電極は、前記締結部材により、前記外郭体に固定される、請求項１に記載の増圧給水装置。
【請求項３】
前記第１電極は、パルス状の直流電圧を印加する電圧印加回路に接続される第１配線と、前記第１配線の一端に設けられた圧着端子により接続された円環状の第１電極板と、を備え、
前記第２電極は、前記電圧印加回路に接続される第２配線と、前記第２配線の一端に設けられた圧着端子により接続された円環状の第２電極板と、を備える、請求項１に記載の増圧給水装置。
【請求項４】
前記漏水検知器は、
前記第１電極及び前記第２電極にパルス状の直流電圧を印加する電圧印加回路と、
前記第１電極及び前記第２電極が導通したときの前記第１電極及び前記第２電極間の抵抗値である第１閾値、及び、前記第１閾値よりも高い抵抗値である第２閾値を記憶する記憶部と、
前記逃がし弁が開き、前記逃がし口から漏水があることを外部に報知する報知手段と、  前記電圧印加回路で電圧を印加しているときの、前記第１電極及び前記第２電極間の抵抗値を測定し、測定した前記抵抗値が前記第１閾値以下であるときに、前記逃がし口が開いていると判断し、前記第２閾値以上であるときに漏水が停止したと判断する制御部と、  をさらに備える、請求項１に記載の増圧給水装置。
【請求項５】
外郭体、前記外郭体内に設けられた第１逆止弁、前記外郭体内に設けられ、前記第１逆止弁の二次側に設けられた第２逆止弁、前記外郭体の前記第１逆止弁及び前記第２逆止弁の間に設けられた逃がし口、並びに、前記逃がし口を開閉する逃がし弁を有する、ポンプ装置の一次側に設けられる減圧式逆流防止装置の前記逃がし口に設けられる漏水検知器であって、
前記逃がし口の内周面よりも径方向で外方に位置する、前記逃がし口に設けられた第１電極と、
前記第１電極に設けられた絶縁パッキンと、
前記絶縁パッキンに設けられ、前記逃がし口の内周面よりも前記径方向で外方に位置する第２電極と、
を備え、
前記絶縁パッキンは、前記逃がし口に設けられる円環状の第１絶縁パッキン、及び、前記第１電極及び前記第２電極の間に設けられる円環状の第２絶縁パッキンを有し、
前記第１電極及び前記第２電極は、円環状に構成され、内周面が前記第１絶縁パッキン及び前記第２絶縁パッキンの内周面よりも前記径方向で外方に位置する電極板をそれぞれ有する漏水検知器。
【請求項６】
非導電性材料により構成された締結部材をさらに備え、
前記第１電極、前記絶縁パッキン及び前記第２電極は、前記締結部材により、前記外郭体に固定される、請求項５に記載の漏水検知器。
【請求項７】
前記第１電極は、パルス状の直流電圧を印加する電圧印加回路に接続される第１配線と、前記第１配線の一端に設けられた圧着端子により接続された円環状の第１電極板と、を備え、
前記第２電極は、前記電圧印加回路に接続される第２配線と、前記第２配線の一端に設けられた圧着端子により接続された円環状の第２電極板と、を備える、請求項５に記載の漏水検知器。
【請求項８】
前記第１電極及び前記第２電極に電圧を印加する電圧印加回路と、
前記第１電極及び前記第２電極が導通したときの前記第１電極及び前記第２電極間の抵抗値である第１閾値、及び、前記第１閾値よりも高い抵抗値である第２閾値を記憶する記憶部と、
前記逃がし弁が開き、前記逃がし口から漏水があることを外部に報知する報知手段と、  前記電圧印加回路で前記電圧を印加しているときの、前記第１電極及び前記第２電極間の抵抗値を測定し、測定した前記抵抗値が前記第１閾値以下であるときに、前記逃がし口が開いていると判断し、前記第２閾値以上であるときに漏水が停止したと判断する制御部と、
をさらに備える、請求項５に記載の漏水検知器。
【手続補正２】
【補正対象書類名】明細書
【補正対象項目名】００１０
【補正方法】変更
【補正の内容】
【００１０】
本発明の一態様として、増圧給水装置は、ポンプ装置と、外郭体、前記外郭体内に設けられた第１逆止弁、前記外郭体内に設けられ、前記第１逆止弁の二次側に設けられた第２逆止弁、前記外郭体の前記第１逆止弁及び前記第２逆止弁の間に設けられた逃がし口、並びに、前記逃がし口を開閉する逃がし弁を有する、前記ポンプ装置の一次側に設けられる減圧式逆流防止装置と、前記逃がし口の内周面よりも径方向で外方に位置する、前記逃がし口に設けられた第１電極、前記第１電極に設けられた絶縁パッキン、及び、前記絶縁パッキンに設けられ、前記逃がし口の内周面よりも前記径方向で外方に位置する第２電極を有する漏水検知器と、を備える。
【手続補正３】
【補正対象書類名】明細書
【補正対象項目名】００１１
【補正方法】変更
【補正の内容】
【００１１】
本発明の一態様として、漏水検知器は、外郭体、前記外郭体内に設けられた第１逆止弁、前記外郭体内に設けられ、前記第１逆止弁の二次側に設けられた第２逆止弁、前記外郭体の前記第１逆止弁及び前記第２逆止弁の間に設けられた逃がし口、並びに、前記逃がし口を開閉する逃がし弁を有する、ポンプ装置の一次側に設けられる減圧式逆流防止装置の前記逃がし口に設けられる漏水検知器であって、前記逃がし口の内周面よりも径方向で外方に位置する、前記逃がし口に設けられた第１電極と、前記第１電極に設けられた絶縁パッキンと、前記絶縁パッキンに設けられ、前記逃がし口の内周面よりも前記径方向で外方に位置する第２電極と、を備える。
【手続補正４】
【補正対象書類名】明細書
【補正対象項目名】００５６
【補正方法】変更
【補正の内容】
【００５６】
このような構成の漏水検知器１８Ａは、第２電極板４４ａと外郭体３３が絶縁されている。また、漏水検知器１８Ａは、漏水時に外郭体３３と、絶縁パッキン４３Ａを介して配置された第２電極板４４ａとが導通する。このため、漏水検知器１８Ａは、上述の漏水検知器１８と同様の効果を奏するとともに、一枚の絶縁パッキン４３Ａと、円環状の第２電極板４４ａが逃がし口３３ｂに設けられる構成であることから、より単純、且つ、小型な構成とすることができる。また、第１電極板４２Ａａは、流通している端子を用いることができることから、漏水検知器１８Ａは、より安価に製造することができる。
【手続補正５】
【補正対象書類名】明細書
【補正対象項目名】００５８
【補正方法】変更
【補正の内容】
【００５８】
なお、本発明は、上記実施形態に限定されるものではなく、実施段階ではその要旨を逸脱しない範囲で種々に変形することが可能である。また、各実施形態は適宜組み合わせて実施してもよく、その場合組み合わせた効果が得られる。更に、上記実施形態には種々の発明が含まれており、開示される複数の構成要件から選択された組み合わせにより種々の発明が抽出され得る。例えば、実施形態に示される全構成要件からいくつかの構成要件が削除されても、課題が解決でき、効果が得られる場合には、この構成要件が削除された構成が発明として抽出され得る。
以下に、本願出願当初の特許請求の範囲に記載された発明と同等の記載を付記する。
［１］ポンプ装置と、
外郭体、前記外郭体内に設けられた第１逆止弁、前記外郭体内に設けられ、前記第１逆止弁の二次側に設けられた第２逆止弁、前記外郭体の前記第１逆止弁及び前記第２逆止弁の間に設けられた逃がし口、並びに、前記逃がし口を開閉する逃がし弁を有する、前記ポンプ装置の一次側に設けられる減圧式逆流防止装置と、
前記逃がし口の径方向で外方に位置する、前記逃がし口に設けられた第１電極、前記第１電極に設けられた絶縁パッキン、及び、前記絶縁パッキンに設けられ、前記径方向で外方に位置する第２電極を有する漏水検知器と、
を備える増圧給水装置。
［２］前記漏水検知器は、非導電性材料で構成された締結部材をさらに備え、
前記第１電極、前記絶縁パッキン及び前記第２電極は、前記締結部材により、前記外郭体に固定される、［１］に記載の増圧給水装置。
［３］前記絶縁パッキンは、前記逃がし口に設けられる円環状の第１絶縁パッキン、及び、前記第１電極及び前記第２電極の間に設けられる円環状の第２絶縁パッキンを有し、
前記第１電極及び前記第２電極は、円環状に構成され、内周面が前記第１絶縁パッキン及び前記第２絶縁パッキンの内周面よりも前記径方向で外方に位置する電極板をそれぞれ有する、［１］に記載の増圧給水装置。
［４］前記第１電極は、パルス状の直流電圧を印加する電圧印加回路に接続される第１配線と、前記第１配線の一端に設けられた圧着端子により接続された円環状の第１電極板と、を備え、
前記第２電極は、前記電圧印加回路に接続される第２配線と、前記第２配線の一端に設けられた圧着端子により接続された円環状の第２電極板と、を備える、［１］に記載の増圧給水装置。
［５］前記漏水検知器は、
前記第１電極及び前記第２電極にパルス状の直流電圧を印加する電圧印加回路と、
前記第１電極及び前記第２電極が導通したときの前記第１電極及び前記第２電極間の抵抗値である第１閾値、及び、前記第１閾値よりも高い抵抗値である第２閾値を記憶する記憶部と、
前記逃がし弁が開き、前記逃がし口から漏水があることを外部に報知する報知手段と、  前記電圧印加回路で電圧を印加しているときの、前記第１電極及び前記第２電極間の抵抗値を測定し、測定した前記抵抗値が前記第１閾値以下であるときに、前記逃がし口が開いていると判断し、前記第２閾値以上であるときに漏水が停止したと判断する制御部と、  をさらに備える、［１］に記載の増圧給水装置。
［６］外郭体、前記外郭体内に設けられた第１逆止弁、前記外郭体内に設けられ、前記第１逆止弁の二次側に設けられた第２逆止弁、前記外郭体の前記第１逆止弁及び前記第２逆止弁の間に設けられた逃がし口、並びに、前記逃がし口を開閉する逃がし弁を有する、ポンプ装置の一次側に設けられる減圧式逆流防止装置の前記逃がし口に設けられる漏水検知器であって、
前記逃がし口の径方向で外方に位置する、前記逃がし口に設けられた第１電極と、
前記第１電極に設けられた絶縁パッキンと、
前記絶縁パッキンに設けられ、前記径方向で外方に位置する第２電極と、
を備える漏水検知器。
［７］非導電性材料により構成された締結部材をさらに備え、
前記第１電極、前記絶縁パッキン及び前記第２電極は、前記締結部材により、前記外郭体に固定される、［６］に記載の漏水検知器。
［８］前記絶縁パッキンは、前記逃がし口に設けられる円環状の第１絶縁パッキン、及び、前記第１電極及び前記第２電極の間に設けられる円環状の第２絶縁パッキンを有し、
前記第１電極及び前記第２電極は、円環状に構成され、内周面が前記第１絶縁パッキン及び前記第２絶縁パッキンの内周面よりも前記径方向で外方に位置する電極板をそれぞれ有する、［６］に記載の漏水検知器。
［９］前記第１電極は、パルス状の直流電圧を印加する電圧印加回路に接続される第１配線と、前記第１配線の一端に設けられた圧着端子により接続された円環状の第１電極板と、を備え、
前記第２電極は、前記電圧印加回路に接続される第２配線と、前記第２配線の一端に設けられた圧着端子により接続された円環状の第２電極板と、を備える、［６］に記載の漏水検知器。
［１０］前記第１電極及び前記第２電極に電圧を印加する電圧印加回路と、
前記第１電極及び前記第２電極が導通したときの前記第１電極及び前記第２電極間の抵抗値である第１閾値、及び、前記第１閾値よりも高い抵抗値である第２閾値を記憶する記憶部と、
前記逃がし弁が開き、前記逃がし口から漏水があることを外部に報知する報知手段と、  前記電圧印加回路で前記電圧を印加しているときの、前記第１電極及び前記第２電極間の抵抗値を測定し、測定した前記抵抗値が前記第１閾値以下であるときに、前記逃がし口が開いていると判断し、前記第２閾値以上であるときに漏水が停止したと判断する制御部と、
をさらに備える、［６］に記載の漏水検知器。
【手続補正６】
【補正対象書類名】明細書
【補正対象項目名】００５９
【補正方法】変更
【補正の内容】
【００５９】
１…増圧給水装置、１１…吸込管、１２…減圧式逆流防止装置、１３…分岐管、１４…ポンプ装置、１４ａ…モータ、１４ｂ…ポンプ、１５…吐出管、１６…合流管、１７…蓄圧装置、１８…漏水検知器、１９…第１圧力検出器、２０…流量計、２１…第２圧力検出器、２２…制御盤、２４…ベース、２５…支持板、２６…カバー、３１…第１逆止弁、３２…第２逆止弁、３３…外郭体、３３ａ…中間室、３３ｂ…逃がし口、３４…逃がし弁、４１…第１絶縁パッキン（絶縁パッキン）、４２…第１電極、４２ａ…第１電極板、４２ｂ…第１配線、４２ｃ…座部、４２ｄ…締結部材、４３…第２絶縁パッキン（絶縁パッキン）、４４…第２電極、４４ａ…第２電極板、４４ｂ…第２配線、４４ｃ…座部、４４ｄ…締結部材、４５…締結部材、５０…表示部、５１…インバータ、５２…電極電圧印加回路、５２ａ…基準抵抗、５２ｂ…ダイオードブリッジ、５２ｃ…ダイオード、５３…記憶部、５４…制御部、５５…ケース、９９…信号線。
【手続補正７】
【補正対象書類名】図面
【補正対象項目名】図１
【補正方法】変更
【補正の内容】
【図１】
2019085900.tif 000007
【手続補正８】
【補正対象書類名】図面
【補正対象項目名】図４
【補正方法】変更
【補正の内容】
【図４】
2019085900.tif 000008